(57)【要約】【課題】ネックレスの引き輪とプレートからなる連結部を常に首の背面に位置させて、見栄えが良くかつ使用中に煩わしい動作を必要としないペンダントネックレスを提供すること。【解決手段】本発明のペンダントネックレスは、内部に樹脂素材を充填すると共に両側方向に開口する貫通孔を形成した中空係止部材を装飾重量体の頂部に取り付け、該装飾重量体がネックレスに垂下され、かつ前記中空係止部材は、前記ネックレスの連結部からの距離を相等しくする位置に係止されている。【選択図】図２
2006296828.tif 000002
【特許請求の範囲】
【請求項１】
内部に樹脂素材を充填すると共に両側方向に開口する貫通孔を形成した中空係止部材を装飾重量体の頂部に取り付け、該中空係止部材の貫通孔にネックレスを挿通することで全体として環状をなして首廻りにかけられるネックレスに前記装飾重量体を垂下することを特徴とするペンダントネックレス。
【請求項２】
前記中空係止部材は、前記ネックレスの両端部あるいはその付近にそれぞれ取り付けられた連結部からの距離を相等しくする位置で該ネックレス上に係止され、前記装飾重量体を、前記ネックレス上において前記連結部材の反対側略１８０度の位置に垂下することを特徴とする請求項１に記載のペンダントネックレス。
【請求項３】
前記装飾重量体の製法は、金属パイプに耐熱性の樹脂素材を挿通する工程と、該金属パイプをツイストして分断する工程と、分断された金属部材の両側面を平坦に研磨する工程と、該金属部材の両側方向に貫通孔を貫通して中空係止部材を得る工程と、該中空係止部材を装飾体の頂部に取り付ける工程とを含むことを特徴とする請求項１乃至２に記載のペンダントネックレス。
【請求項４】
前記装飾重量体の製法は、一対の半球型あるいは凹型と該凹型を密封する蓋体とをロー付け加工して或いは熱溶着加工により中空の金属部材を得る工程と、該金属部材を前記装飾重量体の頂部に取り付ける工程と、前記金属部材に孔部を穿孔する工程と、該孔部に流動状の樹脂素材を注入して充填する工程と、前記金属部材を加熱して樹脂素材を架橋する工程と、前記金属部材の両側方向に貫通孔を貫通して中空係止部材を形成する工程とを含むことを特徴とする請求項１乃至２に記載のペンダントネックレス。
【発明の詳細な説明】
【技術分野】
【０００１】
本発明は、装身具のうち、全体として環状をなして首周りにかけられるネックレスに装飾重量体を垂下するペンダントネックレスに関するものである。
【背景技術】
【０００２】
従来からあるペンダントネックレスの代表的なものとしては、例えば、図８に示すように、装飾重量体１０２の頂部に輪環１０４を取り付けておき、その装飾重量体１０２をネックレス１０６に枢動可能に垂下する、そしてネックレス１０６の両端に取り付けられた連結部材としての引き輪１０８とプレート１１０を連結して全体として環状をなして首廻りにかけるペンダントネックレス１００がある。
【０００３】
このようなペンダントネックレス１００においては、前記引き輪１０８とプレート１１０を連結して形成される連結部１１２を、これを首廻りにかけた際に首の背面の見えない部分に位置させることが装身具としての見栄えの点で望ましいが、実際にはネックレス１０６にぶら下げられ、その前面略中央に位置するはずの装飾重量体１０２は使用者の動きにより使用中にずれることが多い。ペンダントネックレス１００では、装飾重量体１０２がネックレス１０６上で自由に枢動するため、首の背面に位置させるはずの連結部１１２も、その重量に引きずられてネックレス１０６が移動することにより、首の側面等の見える部分に位置ズレすることが多い。
【０００４】
例えば、首の側面に連結部１１２が位置すると、首周りに細くかけれたネックレス１０６の中途に大きな連結部１１２が露呈し、ペンダントネックレス１００の全体の見栄えは著しく悪くなる。特に、首廻りが裸の状態でかつ発汗するような夏期には、首の側面等に連結部１１２が密着して、見栄えばかりではなく極めて煩わしい感触となり、その度毎に連結部１１２を首の背面側に手指等で移動するという動作が必要となっていた。
【発明の開示】
【発明が解決しようとする課題】
【０００５】
本発明は、上記した従来技術の問題点に鑑みてなされたものであり、ネックレス上における装飾重量体の位置ズレを防止することで、引き輪とプレートにより形成される連結部を常に首の背面に位置させることができ、極めて見栄えが良く、かつ使用中に煩わしい動作を必要としないペンダントネックレスを提供することを目的とする。
【課題を解決するための手段】
【０００６】
本発明のペンダントネックレスは、内部に樹脂素材を充填すると共に両側方向に開口する貫通孔を形成した中空係止部材を装飾重量体の頂部に取り付け、該中空係止部材の貫通孔にネックレスを挿通することで全体として環状をなして首廻りにかけられるネックレスに前記装飾重量体を垂下することを特徴とする。そして、前記中空係止部材は、前記ネックレスの両端部あるいはその付近にそれぞれ取り付けられた連結部材からの距離を相等しくする位置で該ネックレス上に係止され、前記装飾重量体を、前記ネックレス上において前記連結部の反対側略１８０度の位置に垂下することを特徴とする。
【０００７】
この構成によれば、重量のある装飾重量体が、ネックレスの略中央すなわち使用者の前面略中央に位置することで、装飾重量体とそれぞれ等しい距離にある連結部材から構成される連結部を首の背面の見えない部分に常に位置させることができる。
【０００８】
また、本発明のペンダントネックレスは、請求項１乃至２に記載のペンダントネックレスにおいて、前記装飾重量体の製法が、金属パイプに耐熱性の樹脂素材を挿通する工程と、該金属パイプをツイストして分断する工程と、分断された金属部材の両側面を平坦に研磨する工程と、該金属部材の両側方向に貫通孔を貫通して中空係止部材を得る工程と、該中空係止部材を装飾体の頂部に取り付ける工程とを含むことを特徴とする。
【０００９】
さらに、本発明のペンダントネックレスは、請求項１乃至２に記載のペンダントネックレスにおいて、前記装飾重量体の製法が、一対の半球型あるいは凹型と該凹型を密封する蓋体とをロー付け加工して或いは熱溶着加工により中空の金属部材を得る工程と、該金属部材を前記装飾重量体の頂部に取り付ける工程と、前記金属部材に孔部を穿孔する工程と、該孔部に流動状の樹脂素材を注入して充填する工程と、前記金属部材を加熱して樹脂素材を架橋する工程と、前記金属部材の両側方向に貫通孔を貫通して中空係止部材を形成する工程とを含むことを特徴とする。
【発明の効果】
【００１０】
本発明で得られるペンダントネックレスは装飾重量体の位置の調整が簡単でしかもその位置にて確実に係止することができる。したがって、Ｕ字状あるいはＶ字状をなすネックレスにおける連結部の反対側１８０度の位置で確実に係止することにより、ネックレス上における装飾重量体の位置ズレを防止して、引き輪とプレートにより形成される連結部を常に首の背面に位置させることができ、極めて見栄えが良くかつ着用の際の煩わしい動作を不要とすることができる。
【発明を実施するための最良の形態】
【００１１】
以下、本発明の好ましい実施形態を図面により詳細に説明すると、図１は、本発明に係るペンダントネックレスの正面図、図２（ａ）は、装飾重量体の正面図、（ｂ）は、装飾重量体にネックレスを挿通した状態を示す断面図であり、図３（ａ）及び（ｂ）は、本発明に係るペンダントネックレスの使用状態を示す説明図である。
【００１２】
図１及び図２に示すように、ペンダントネックレス１０は、装飾重量体１２の頂部に両側方向に貫通孔２４を形成した中空係止部材１４を取り付け、中空係止部材１４の貫通孔２４にネックレス１６を挿通し、環状をなして首廻りにかけられるネックレス１６の略中央に係止するものである。
【００１３】
ネックレス１６は、例えば、金、銀、プラチナ等の貴金属チェーンが代表的なものであるが、もちろん、それ以外の皮革等の紐体を使用でき、その両端部には互いに連結して連結部２２を形成する部材、オス型となるプレート２０とメス型となる引き輪１８がそれぞれ取り付けられる。
【００１４】
そして、中空係止部材１４の貫通孔２４にネックレス１６を一端より挿通し、逆側貫通孔２４より突出した先端をさらに引っ張り、中空係止部材１４をネックレス１６上で移動する。さらに、ネックレス１６の両端にそれぞれプレート２０と引き輪１８を取り付け、装飾重量体１２を、プレート２０と引き輪１８からの距離を相等しくするようにネックレス１６上に位置させる。
【００１５】
装飾重量体１２は、図１においては、星型に打ち抜かれた単なる板体が示されているが、例えば、ダイアモンド、ルビー、サファイア等の貴石や真珠、ビーズ等の半貴石を爪部等が形成された石座により固定したより装飾的なものでかつある程度の重量を有するものを使用することができる。
【００１６】
装飾重量体１２の頂部には、例えば、シリコンエラストマー等からなる樹脂素材２６を内部に充填した球形の中空係止部材１４が取り付けられている。さらにその内部の両側方向にはネックレス１６を挿通できる程度の内径からなる貫通孔２４が開口されている。前記したようにネックレス１６を中空係止部材１４内で移動した後は、樹脂素材２６の弾発力によりネックレス１６上の所望の位置に装飾重量体１２を係止することができる。
【００１７】
このようなペンダントネックレス１０は、ネックレス１６を首周りにかけると、装飾重量体１２はネックレス１６上において垂下し、ネックレス１６がＵ字状やＶ字状をなすような状態となり、胸元の中央に位置してその装飾的効果を発揮することができる。
【００１８】
そして、ペンダントネックレス１０においては、装飾重量体１２がプレート２０と引き輪１８からの距離を等しい位置で係止するように構成されている。従って、最も重量を有する装飾重量体１２が常に中央に垂下することで、使用中のネックレス１６のズレは防止され、その反対側１８０度に位置する連結部２２は首の背面に常に保持され、首の側面や前面に移動することがなく、極めて見栄えが良く、かつ使用中に煩わしい動作が不要である。
【００１９】
一方、図４は本発明に係るペンダントネックレス１０の製法の第１実施例を示す概念図である。この例は、中空係止部材１４を球状に形成するためのもので、その第１工程は、例えば、金、銀、プラチナ等を素材とする金属パイプ２８に耐熱性の樹脂素材２６からなる棒体を挿入し、第２工程は、この金属パイプ２８の両端を保持し、互いに逆方向にツイストして一つ一つに分断する。第３工程は、この分断された各金属パイプ２８の両側面を平坦な球面に研磨し、第４工程は、各金属パイプ２８の一端側面より側部方向にドリル等で切削して貫通孔２４を開口して中空係止部材１４を形成する。第５工程は、この中空係止部材１４を装飾部材の頂部にロー付け加工等により取り付けて、本発明に係る装飾重量体１２が完成する。この装飾重量体１２にはネックレスが挿通された後、その両端にプレート、引き輪等の連結具が取り付けられるが、使用されるネックレスの形状や連結具の種類に特に制限はない。
【００２０】
また、図５は本発明に係るペンダントネックレス１０の製法の第２実施例を示す概念図である。この例では、中空係止部材１４を前記同様の球状に形成するためのもので、その第1工程は、一対の半球型３０をロウ付け加工して球状の金属部材を得て、第２工程は、これを装飾部材の頂部にロー付け加工等により取り付け中空係止部材１４とする、第３工程は、これに孔部２３を穿孔する、第４工程は、中空係止部材１４に流動状の樹脂素材２６を注入し、この状態で中空係止部材１４を加熱して樹脂素材２６を架橋し、弾発力を有する樹脂素材２６が充填された装飾重量体１２を得る。この装飾重量体１２には、前記同様、ネックレスが挿通された後、その両端にプレート、引き輪等の連結具が取り付けられ、ペンダントネックレス１０が完成される。
【００２１】
なお、本実施例にて用いられる樹脂素材２６の好ましい例としては、シリコンエラストマーやポリウレタンエラストマー等の熱可塑性エラストマーが挙げられ、中空係止部材１４に未架橋の流動状の樹脂原液を注入し、これを加熱して架橋するものであるが、熱可塑性エラストマーには適度な弾発性と、耐摩耗性にすぐれた材質が望まれる。
【００２２】
上記の如く、本発明を好ましい実施例により説明したが、この発明の精神を逸脱しない限り種々の変更ができることはいうまでもない。例えば、装飾重量体１２の頂部に取り付けられる中空係止部材１４の形状は、図示された球状に限られるものではなく、例えば、図６に示される逆三角形状やダイア形状やハート形状等のデザイン的変更がされた中空係止部材３２や装飾重量体１２の裏面略中央に中空係止部材３４を取り付けたペンダントネックレスを構成することも可能である。
【００２３】
また、例えば、図７に示すように、ネックレスの中間部に長さ調整のためのいわゆるアジャスター部材３６を採用し、ネックレス１６の長さそのものを短くしたり、長くしたり変更できるペンダントネックレス４０についても、本発明を構成することができることはいうまでもない。この場合でも、装飾重量体をネックレス１６上で所望の位置に移動し、中間点であるアジャスター部材３６と引き輪１８を連結して形成される連結部３８の反対側１８０度の位置に確実に係止することができる。
【００２４】
さらに、上記実施例は、ペンダントネックレスに限定して説明したが、本発明は、全体として環状をなすネックレスに装飾体を垂下できる他の装身具、例えば、ブレスレット、アンクレットに適用できることはいうまでもない。
【図面の簡単な説明】
【００２５】
【図１】本発明に係るペンダントネックレスの正面図である。
【図２】本発明に係る装飾重量体を示す図であって、（ａ）は、ネックレスを挿通する前の状態を示す断面図、（ｂ）は、ネックレスを挿通した後の状態を示す断面図である。
【図３】本発明に係るペンダントネックレスの使用状態を示す図であって、（ａ）は、その正面図、（ｂ）は、その背面図である。
【図４】本発明に係るペンダントネックレスの製法の第１実施例を示す概念図である。
【図５】本発明に係るペンダントネックレスの製法の第２実施例を示す概念図である。
【図６】本発明に係る装飾重量体の変形例を示す図である。
【図７】本発明に係るペンダントネックレスにアジャスター部材を採用した状態を示す説明図である。
【図８】従来からあるペンダントネックレスを示す図である。
【符号の説明】
【００２６】
１０  ペンダントネックレス
１２  装飾重量体
１４  中空係止部材
１６  ネックレス
１８  引き輪
２０  プレート
２２  連結部
２３  孔部
２４  貫通孔
２６  樹脂素材
２８  金属パイプ
３０  半球型
３６  アジャスター部材
３８  連結部
４０  ペンダントネックレス
１００  ペンダントネックレス
１０２  装飾重量体
１０４  輪環
１０６  ネックレス
１０８  引き輪
１１０  プレート
１１２  連結部
【図１】
2006296828.tif 000003
【図２】
2006296828.tif 000004
【図３】
2006296828.tif 000005
【図４】
2006296828.tif 000006
【図５】
2006296828.tif 000007
【図６】
2006296828.tif 000008
【図７】
2006296828.tif 000009
【図８】
2006296828.tif 000010